(57)【特許請求の範囲】
【請求項１】
長方形のフィルム原版に、外周枝と、車体表面において凹凸の激しい場所を回避しつつ形成された複数のラッピングパーツと、前記外周枝及び／又は前記ラッピングパーツ間を連結する支持枝と、この支持枝の一部に各ラッピングパーツを同定するためのパーツ符号とを備えるように加工し、前記支持枝を切り取って前記ラッピングパーツの外周縁を切り取った後、各ラッピングパーツを所定の場所に貼り付けることを特徴とする車体のラッピング方法。
【請求項２】
前記凹凸の激しい場所が、ドアとドアの隣接部分、ドアと本体の隣接部分、ドアアウトサイドハンドル及びその周辺、ガソリン給油口パネルと外表面との隣接領域、ナンバープレート及びその周辺、ボンネットの段差部分、ウオッシャーノズル及びその周辺、アンテナ及びその周辺並びにエンブレム及びその周辺から選択される少なくとも一つであることを特徴とする請求項１に記載の車体のラッピング方法。
【請求項３】
前記各ラッピングパーツは、互いに連続することなく、所定の間隔を設けて、車体表面が見えるように貼り付けられるところがあることを特徴とする請求項１または２に記載のラッピング方法。
【発明の詳細な説明】
【技術分野】
【０００１】
本発明は、自動車や二輪車などの車体に対し、デザインや保護のためのラッピングフィルムを貼り付ける方法に関する。
【背景技術】
【０００２】
従来、組立が完了した自動車を市場に運搬するようなときに、塗装表面を一時的に保護するために、車体表面に剥離型粘着剤層を備えたラッピングフィルムを貼り付けることがあった（特許文献１）。またこれに加え、最近には、車両表面にキャッチコピー・ロゴマーク・イベント告知などをラッピングして広告カーとしたり、個性的な演出を行ったり、古くなった自動車の表面をオリジナルデザインとするため等の目的で、車体にラッピングを施すことが行われている（非特許文献１）。
【先行技術文献】
【特許文献】
【０００３】
【特許文献１】特開平６−２５４４５１号公報
【非特許文献】
【０００４】
【非特許文献１】http://www.hattori-marking.com/wrapping/about.html
【発明の概要】
【発明が解決しようとする課題】
【０００５】
しかしながら、これまでのカーラッピング技術は、車体表面全体を覆うことで、美観を強調することを主眼としていた。このため、車体全体の面積に匹敵するラッピング材が必要であることに加え、凹凸が激しいところにも皺が発生しないようにラッピングを施さなければならなかった。そうとすると、職人的な芸が必要となり、高額なものとならざるを得なかった。
本発明は、上記した課題に鑑みてなされたものであり、その目的は、安価かつ容易に施すことが可能な車体のラッピング方法を提供することである。
【課題を解決するための手段】
【０００６】
本発明者は、より安価かつ容易にカーラッピングを行える方法を検討した結果、表面の凹凸が激しい場所については、ラッピング材を回避し、容易に貼り付けられる部分のみを覆うようにラッピング材を適当に分割して作成することで、ラッピングの目的を達成できることを見出し、基本的には本発明を完成するに至った。
こうして、上記目的を達成するための発明に係る車体のラッピング方法は、車体表面において、凹凸の激しい場所（例えば、ドアとドアの隣接部分、ドアと本体の隣接部分、ドアアウトサイドハンドル及びその周辺、ガソリン給油口パネルと外表面との隣接領域、ナンバープレート及びその周辺、ボンネットの段差部分、ウオッシャーノズル及びその周辺、アンテナ及びその周辺、エンブレム及びその周辺など）を回避しつつ複数のラッピングパーツを作成し、各ラッピングパーツを所定の場所に貼り付けることを特徴とする。
【０００７】
このようにすれば、凹凸の激しい場所を回避するようにラッピングパーツが形成されているので、貼付作業を行う時に、皺が寄り難くなっている。このため、全体を覆う方法に比べると、作業性が良好となる。
上記発明において、各ラッピングパーツは、互いに連続することなく、所定の間隔を設けて、車体表面が見えるように貼り付けられるところがあっても良い。
このようにすれば、所定の部分は、車体表面の色が見えることになる。しかし、遠方から観察すると、全体として、ラッピングパーツの色が目立つので、充分にラッピングの意図を果たしたことになる。また、車体表面の色部分が、独特の模様を示すことがあるので、個性的なラッピングと成り得る。
【発明の効果】
【０００８】
このように本発明によれば、安価かつ容易に施すことが可能なラッピング方法を提供できる。
【図面の簡単な説明】
【０００９】
【図１】本実施形態におけるラッピング方法を施した自動車の四面図である。各図において、Ａ−１〜Ａ−１９を示した位置には、ラッピングパーツが貼り付けてある。（Ａ）平面図、（Ｂ）左側面図、（Ｃ）正面図及び（Ｄ）背面図を意味する。
【図２】ラッピングパーツの一部を示す図である。（Ａ）〜（Ｄ）には、図１に示すラッピング方法を実施するためのラッピングパーツの一部が、所定の大きさの長方形に分割して印刷・作成されている。
【図３】ラッピング方法を施した自動車の前側斜視写真図である（但し、社名を示す一部は塗りつぶしてある）。
【図４】ラッピング方法を施した自動車の後側斜視写真図である（但し、社名を示す一部は塗りつぶしてある）。
【発明を実施するための形態】
【００１０】
次に、本発明の実施形態について、図表を参照しつつ説明する。本発明の技術的範囲は、これらの実施形態によって限定されるものではなく、発明の要旨を変更することなく様々な形態で実施することができる。
図１には、本実施形態におけるラッピング方法を施した自動車の四面図を示した。車体表面には、凹凸の激しい場所（例えば、ドアとドアの隣接部分、ドアと本体の隣接部分、ドアアウトサイドハンドル及びその周辺、ガソリン給油口パネルと外表面との隣接領域、ナンバープレート及びその周辺、ボンネットの段差部分など。以下、「凹凸部位」という）が多く存在している。従来、カーラッピングでは、車体の全表面を隈無く覆うことを主眼としているため、ラッピング前の地の色が表面に出ないように気をつけていた。一方、本実施形態においては、凹凸部位は、敢えてラッピングパーツを施すことなく、地の色が表面に出ても良いこととした。そのため、凹凸部位を回避しつつ複数のラッピングパーツを作成し、各ラッピングパーツを所定の場所に貼り付けるようにしている。
【００１１】
図１には、車体表面に貼り付けられたラッピングパーツをＡ−１〜Ａ−１９として示した。また、図２には、各ラッピングパーツＡ−１〜Ａ−１９が、長方形の原版に彩色・切り抜いて設けられている様子を示した。図２は、一式全部のラッピングパーツではなく、一部のラッピングパーツのみを示した。
なお、説明の便宜上、図２の各ラッピングパーツＡ−１〜Ａ−１９には、図１中の符号に整合した番号が付されているが、実際のパーツには、Ａ−１〜Ａ−１９の番号は付されておらず、後述のパーツ符号２２とパーツ形状によって同定するようになっている。
図２に示すラッピングパーツＡ−１〜Ａ−１９を形成するためのフィルム原版は、一般にカーラッピング用として市販されているフィルム、その他のフィルム（例えば、自己吸着フィルム）を用いることができる。このフィルム原版は、少なくとも装飾層と剥離層との２層を備えている。このうち、装飾層には、ラッピングに用いられる所定の装飾が施されている。また、車体表面に接触する貼付層が設けられていても良い。このとき貼付層には、接着剤が設けられているものを用いることもできるし、接着剤が設けられておらず車体表面に密着することで、一定の貼付力を備えた再剥離・貼付操作が可能なものを用いることもできる。
特に、車体からラッピングを剥ぎ取ったり、再度別のラッピングを施すために、ラッピング用フィルムとして、貼付及び剥離が可能なものを用いることができる。この方法は、適当な期間毎に容易に変更ができるので、ラッピングを広告等に用いる場合には効果的となる。
【００１２】
長方形のフィルム原版には、外周枝２０と、ラッピングパーツＡ−１〜Ａ−１９と、外周枝２０及び／又はパーツ間を連結する支持枝２１とによって形成されている。また、各ラッピングパーツＡ−１〜Ａ−１９を支持する支持枝２１の一部には、各パーツを同定するためのパーツ符号２２が設けられている。各ラッピングパーツＡ−１〜Ａ−１９は、車体表面の凹凸部位を回避して、滑らかな場所のみに貼り付けられるように設計されている。このため、各ラッピングパーツＡ−１〜Ａ−１９を車体表面に貼り付けるときには、より容易に作業が行えるようになっている。
また、各ラッピングパーツＡ−１〜Ａ−１９は、互いに連続することなく、所定の間隔を設けて、車体表面が見えるように貼り付けられるところが設けられている。例えば、車体のボンネットに貼り付けられるラッピングパーツＡ−１３，Ａ−１４，Ａ−１５の間は、互いに所定間隔を隔てて二つの溝が設けられており、この部分から地の色が視認できる。
【００１３】
次に、ラッピングパーツＡ−１〜Ａ−１９を車体表面に貼り付ける方法について説明する。
まず、各ラッピングパーツＡ−１〜Ａ−１９を支持する支持枝２１を切り取り、ラッピングパーツＡ−１〜Ａ−１９の外周縁をきれいに切り取っておく。
次に、車体表面を水拭きし、汚れを除去する。このとき、車体表面に油分が付いている場合には、ホワイトガソリンやイソプロピルアルコールなどを含有する汚れ落としで拭き取る。また、ラッピングパーツＡ−１〜Ａ−１９を貼り付ける車体表面にキズなどの凹凸が無いことを確認する。
次いで、微量の中性洗剤を加えた水を霧吹きで車体の装着面に拭きかける。
ここで、各ラッピングパーツＡ−１〜Ａ−１９の剥離層をゆっくりと剥がし、相当量の水（微量の中性洗剤を加えたものでも良い）を霧吹きで拭きかける。ラッピングパーツＡ−１〜Ａ−１９を車体表面の所定の位置に合わせ、貼付位置を決めた後に、中央部分から両端に向かって、スキージ・雑巾などを用いて水を扱きだしながら密着させる。
最後に余分な水を扱きだし、ラッピングパーツＡ−１〜Ａ−１９の表面を真水で洗い流した後、水気を拭き取る。全てのラッピングパーツＡ−１〜Ａ−１９を貼り付けたところで、ラッピング操作を完了する。
【００１４】
この方法によれば、凹凸部位を回避するようにラッピングパーツＡ−１〜Ａ−１９が形成されているので、貼付作業を行う時に、皺が寄りにくくなっている。このため、全体を覆う方法に比べると、作業性が簡易となる。
また、各ラッピングパーツＡ−１〜Ａ−１９には、互いに連続して貼り付けられることなく、所定の間隔を設けて、車体表面が見えるように貼り付けられるところがある（例えば、ラッピングパーツＡ−１３，Ａ−１４，Ａ−１５の間、Ａ−１７とＡ−１８の間、Ａ−１５とＡ−１の間など）。このため、所定の部分は、車体表面の色が見えることになる。但し、遠方から観察すると、全体としてラッピングパーツＡ−１〜Ａ−１９の色が目立つので、充分にラッピングの意図を果たしたことになる。また、車体表面の色部分が、独特の模様を示すことがあるので、個性的なラッピングとも成り得る。
また、ラッピングパーツＡ−１〜Ａ−１９は、不要になったら剥ぎ取り、別の模様を施すことができる。このため、頻繁に車体の装飾を変えたり、広告の内容に応じてラッピングを変更する場合には、有効なラッピング方法となる。
このように、本実施形態によれば、安価かつ容易に施すことが可能なラッピング方法を提供できた。
【符号の説明】
【００１５】
Ａ−１〜Ａ−１９…ラッピングパーツ
２０…外周枝
２１…支持枝
２２…パーツ符号
【図１】
0006612596.tif 000002
【図２】
0006612596.tif 000003
【図３】
0006612596.tif 000004
【図４】
0006612596.tif 000005